(57)【特許請求の範囲】
【請求項１】
鋼材を一般住宅の窓枠等を配設した開口部よりやや大きく方形枠状に接合固定すると共に、両側に位置する鋼材に下方へ延長した延長片をそれぞれ連設して外枠を形成し、且つ該外枠を構成する鋼材の内周面に、上下および／または左右対称の形状に形成された補強桟、あるいは上下および／または左右非対称の形状に形成された補強桟、または上下および／または左右非対称の格子状に形成された補強桟を接合固定して、構造壁と同等の力学的構造を有する補強フレームを形成し、且つ該補強フレームを前記開口部の外側壁面に一体に固定すると共に、各延長片を基礎部、または土台に固定することを特徴とする一般住宅における開口部耐震補強フレーム。
【請求項２】
鋼材を一般住宅の窓枠等を配設した開口部よりやや大きく方形枠状に接合固定すると共に、両側に位置する鋼材に上方へ延長した延長片をそれぞれ連設して外枠を形成し、且つ該外枠を構成する鋼材の内周面に、上下および／または左右対称の形状に形成された補強桟、あるいは上下および／または左右非対称の形状に形成された補強桟、または上下および／または左右非対称の格子状に形成された補強桟を接合固定して、構造壁と同等の力学的構造を有する補強フレームを形成し、且つ該補強フレームを前記開口部の外側壁面に一体に固定すると共に、各延長片を天井梁に固定することを特徴とする一般住宅における開口部耐震補強フレーム。
【請求項３】
鋼材を一般住宅の窓枠等を配設した開口部よりやや大きく方形枠状に接合固定すると共に、両側に位置する鋼材に上方へ延長した上部延長片を連設し、更に前記両側に位置する鋼材に下方へ延長した下部延長片をそれぞれ連設して外枠を形成し、且つ該外枠を構成する鋼材の内周面に、上下および／または左右対称の形状に形成された補強桟、あるいは上下および／または左右非対称の形状に形成された補強桟、または上下および／または左右非対称の格子状に形成された補強桟を接合固定して、構造壁と同等の力学的構造を有する補強フレームを形成し、且つ該補強フレームを前記開口部の外側壁面に一体に固定すると共に、上部延長片を天井梁に固定し、更に下部延長片を基礎部、または土台に固定することを特徴とする一般住宅における開口部耐震補強フレーム。
【発明の詳細な説明】
【０００１】
【発明の属する技術分野】
本発明は、木造家屋等の一般住宅における窓枠等を配設した開口部の外側壁面、または開口部の内周面に固定して家屋全体に耐震性を付与するようにした一般住宅における開口部耐震補強フレームに関するものである。
【０００２】
【従来の技術】
従来、木造家屋等の一般住宅における窓枠等を配設した開口部には、耐震手段を施したものはなく、浴室、便所あるいは台所等の窓枠の外側に防犯用の面格子が固着されているのみであった。
【０００３】
【発明が解決しようとする課題】
しかしながら、前記従来の面格子は強度が弱く、耐震用の補強として使用することができないという課題があった。
【０００４】
本発明は、前記課題を解決すべくなされたもので、窓枠等を配設した開口部の外側壁面に構造壁と同等の力学的構造を有する補強フレームを固定すると共に、前記補強フレームの下方部を基礎部、または土台に固定し、あるいは前記補強フレームを開口部の外側壁面に固定すると共に、上方部を天井梁に固定し、または前記補強フレームを開口部の外側壁面に固定すると共に、上方部を天井梁に固定し、且つ下方部を基礎部、または土台に固定して総体的な壁量を増加させることにより、木造家屋等の一般住宅における窓枠等を配設した開口部の耐震性を、壁面部と同等、またはそれ以上に向上させて、家屋全体に強靭な耐震性を付与するようにした一般住宅における開口部耐震補強フレームを提供しようとするものである。
【０００５】
【課題を解決するための手段】
本発明は、鋼材を一般住宅の窓枠等を配設した開口部よりやや大きく方形枠状に接合固定すると共に、両側に位置する鋼材に下方へ延長した延長片をそれぞれ連設して外枠を形成し、且つ該外枠を構成する鋼材の内周面に、上下および／または左右対称の形状に形成された補強桟、あるいは上下および／または左右非対称の形状に形成された補強桟、または上下および／または左右非対称の格子状に形成された補強桟を接合固定して、構造壁と同等の力学的構造を有する補強フレームを形成し、且つ該補強フレームを前記開口部の外側壁面に一体に固定すると共に、各延長片を基礎部、または土台に固定するという手段、鋼材を一般住宅の窓枠等を配設した開口部よりやや大きく方形枠状に接合固定すると共に、両側に位置する鋼材に上方へ延長した延長片をそれぞれ連設して外枠を形成し、且つ該外枠を構成する鋼材の内周面に、上下および／または左右対称の形状に形成された補強桟、あるいは上下および／または左右非対称の形状に形成された補強桟、または上下および／または左右非対称の格子状に形成された補強桟を接合固定して、構造壁と同等の力学的構造を有する補強フレームを形成し、且つ該補強フレームを前記開口部の外側壁面に一体に固定すると共に、各延長片を天井梁に固定するという手段、  鋼材を一般住宅の窓枠等を配設した開口部よりやや大きく方形枠状に接合固定すると共に、両側に位置する鋼材に上方へ延長した上部延長片を連設し、更に前記両側に位置する鋼材に下方へ延長した下部延長片をそれぞれ連設して外枠を形成し、且つ該外枠を構成する鋼材の内周面に、上下および／または左右対称の形状に形成された補強桟、あるいは上下および／または左右非対称の形状に形成された補強桟、または上下および／または左右非対称の格子状に形成された補強桟を接合固定して、構造壁と同等の力学的構造を有する補強フレームを形成し、且つ該補強フレームを前記開口部の外側壁面に一体に固定すると共に、上部延長片を天井梁に固定し、更に下部延長片を基礎部、または土台に固定するという手段、のいずれかを採用することにより、上記課題を解決した。
【０００６】
【発明の実施の形態】
本発明の実施の形態を図面に基づいて詳細に説明する。図１は、本発明の第１の実施の形態における窓枠等を配設した開口部の外側壁面、または前記開口部の内周面に一体に固定するタイプの補強フレームＡの正面図である。すなわち、補強フレームＡは、次のように形成されている。すなわち、角パイプ状、Ｌ型状等の鋼材１ａ〜１ｄを方形枠状に接合固定して、一般住宅の窓枠２等を配設した開口部３よりやや大きい、または開口部３とほぼ同じ大きさの外枠４を形成する。そして、前記外枠４を構成する鋼材１ａ〜１ｄのうち、互いに隣り合う鋼材１ａ・１ｂ、１ｂ・１ｃ、１ｃ・１ｄ、１ｄ・１ａの内周面に、角パイプ状、Ｌ型状等の鋼材より成る同一長さの補強杆５ａ〜５ｄをそれぞれ斜めに一体に接合固定すると共に、前記外枠４を構成する鋼材１ａ〜１ｄのうち、両側位置で互いに対面する鋼材１ｂ・１ｄの内周面において、前記補強杆５ａ・５ｄおよび５ｂ・５ｃの接合位置に達する同一長さの補強杆６ａ・６ｂをそれぞれ斜めに一体に接合固定し、且つ該補強杆６ａ・６ｂが交差する位置においては一方の補強杆６ｂを切断して、該切断端面を他方の補強杆６ａの側面にそれぞれ接合固定して、上下および左右対称の形状に形成された補強桟７を備えた補強フレームＡが形成されている。前記補強桟７を備えた補強フレームＡを、構造壁と同等の力学的構造を有するよう形成することにより、該補強フレームＡを開口部３部分に固定すると、総体的な壁量を増加させることができるのである。なお、前記補強フレームＡは、上下または左右対称の形状に形成された補強桟７を備えたものであってもよい。
【０００７】
また、図２は、本発明の第１の実施の形態における窓枠等を配設した開口部の外側壁面に一体に固定する他のタイプの補強フレームＡ′の正面図である。すなわち、補強フレームＡ′は、次のように形成されている。すなわち、角パイプ状、Ｌ型状等の鋼材１ａ〜１ｄを方形枠状に接合固定して、一般住宅の窓枠２等を配設した開口部３よりやや大きいか、または開口部３とほぼ同じ大きさの外枠４を形成する。そして、前記外枠４を構成する角パイプ状、Ｌ型状等の鋼材１ａ〜１ｄのうち、互いに隣り合う鋼材１ａ・１ｂ、１ｃ・１ｄの内周面に、角パイプ状、Ｌ型状等の鋼材より成る同一長さの補強杆１５ａ・１５ｂをそれぞれ斜めに一体に接合固定すると共に、前記補強杆１５ａ・１５ｂよりは長く、且つ同一長さにした補強杆１６ａ・１６ｂを隣り合う鋼材１ｂ・１ｃ、１ｄ・１ａの内周面において、前記補強杆１５ａ・１５ｂの接合位置に達するようにしてそれぞれ斜めに一体に接合固定し、更に上下位置において互いに対面する鋼材１ａ・１ｃに補強杆１７を斜めに一体に接合固定し、且つ該補強杆１７が前記補強杆１６ａ・１６ｂと交差する位置においては、前記補強杆１７を切断して、該切断端面を前記補強杆１６ａ・１６ｂの側面に接合固定して、上下および左右非対称の形状に形成された補強桟１８を備えた補強フレームＡ′が形成されている。前記補強桟１８を備えた補強フレームＡ′を、構造壁と同等の力学的構造を有するよう形成することにより、該補強フレームＡ′を開口部３部分に固定すると、総体的な壁量を増加させることができるのである。なお、前記補強フレームＡ′は、上下または左右非対称の形状に形成された補強桟１８を備えたものであってもよい。
【０００８】
更に、図３は、本発明の第１の実施の形態における窓枠等を配設した開口部の外側壁面に一体に固定する更に他のタイプの補強フレームＡ″の正面図である。すなわち、補強フレームＡ″は、次のように形成されている。すなわち、角パイプ状、Ｌ型状等の鋼材１ａ〜１ｄを方形枠状に接合固定して、一般住宅の窓枠２等を配設した開口部３よりやや大きいか、または開口部３とほぼ同じ大きさの外枠４を形成する。そして、前記外枠４を構成する角パイプ状、Ｌ型状等の鋼材１ａ〜１ｄのうち、隣り合う鋼材１ａ・１ｂの内周面に、隅角部からほぼ半分位置まで間隔を有して複数本の補強杆２５をそれぞれ斜めに一体に接合固定すると共に、前記補強杆２５のうち、鋼材１ｄ側に位置する補強杆２５と鋼材１ｄの内周面、および鋼材１ａ・１ｄの内周面に、間隔を有し複数本の補強杆２６をそれぞれ斜めに一体に接合固定し、更に前記補強杆２６のうち、鋼材１ｂ・１ｃ側に位置する補強杆２６と鋼材１ｂ・１ｃの内周面に、間隔を有して複数本の補強杆２７をそれぞれ斜めに一体に接合固定して、上下および左右非対称の格子状に形成された補強桟２８を備えた補強フレームＡ″が形成されている。前記補強桟２８を備えた補強フレームＡ″を、構造壁と同等の力学的構造を有するよう形成することにより、該補強フレームＡ″を開口部３部分に固定すると、総体的な壁量を増加させることができるのである。なお、前記補強フレームＡ″は、上下または左右非対称の格子状に形成された補強桟２８を備えたものであってもよい。
【０００９】
図４は、前記各構成より成る構造壁と同等の力学的構造を有する補強桟を備えた、開口部３よりやや大きい外枠４より成る補強フレームＡ・Ａ′・Ａ″を、窓枠２等を配設した開口部３の外側壁面３１に固定した状態を示す縦断面図である。すなわち、前記補強フレームＡ・Ａ′・Ａ″を、窓枠２等を配設した開口部３の外側壁面３１に、取付ボルト等の固定金具３２によって一体に固定することにより、総体的な壁量が増加され、前記補強フレームＡ・Ａ′・Ａ″が開口部３を補強する作用を有し、該開口部３の耐震性を、壁面部と同等、またはそれ以上に向上させて、家屋全体に強靭な耐震性を付与する。そして、前記開口部３に補強フレームＡ・Ａ′・Ａ″のうち、いずれのタイプのものを使用するかは、開口部３の大小あるいは眺望を妨げるか否か、または美観上の問題等を考慮して適宜決することができる。
【００１０】
図５は、前記各構成より成る構造壁と同等の力学的構造を有する補強桟を備えた、開口部３とほぼ同じ大きさの外枠４より成る補強フレームＡ・Ａ′・Ａ″を窓枠２の外方側の開口部３の内周面に周設された梁材３５に固定した状態を示す縦断面図である。すなわち、前記補強フレームＡ・Ａ′・Ａ″を、窓枠２の外方側の開口部３の内周面に周設された梁材３５に、取付ボルト等の固定金具３２で一体に固定することにより、総体的な壁量が増加され、前記補強フレームＡ・Ａ′・Ａ″が開口部３を補強する作用を有し、該開口部３の耐震性を、壁面部と同等、またはそれ以上に向上させて、家屋全体に強靭な耐震性を付与する。
【００１１】
図６は、本発明の第２の実施の形態における窓枠等を配設した開口部の外側壁面に一体に固定すると共に、下方部を基礎部、または土台に固定する補強フレームＢの正面図である。そして、該補強フレームＢを構成する補強桟は、前記第１の実施の形態に示す補強フレームＡ・Ａ′・Ａ″のいずれのタイプのものも使用することができるが、図６においては説明の便宜上補強フレームＡ″と同一タイプの補強桟を使用するものとして説明する。
【００１２】
図６における補強フレームＢは、角パイプ状、Ｌ型状等の鋼材４１ａ〜４１ｄを一般住宅の窓枠２等の開口部３よりやや大きく方形枠状に接合固定すると共に、両側に位置する鋼材４１ｂ・４１ｄを下方へ延長した延長片４１ｅ・４１ｆをそれぞれ連設して外枠４２が形成されている。更に、補強フレームＢは、前記外枠４２を構成する鋼材４１ａ〜４１ｄの内周面に、前記図３に示すと同一タイプの補強杆４３〜４５をそれぞれ一体に接合固定して形成された補強桟４６を備えており、且つ該補強フレームＢは、前記補強フレームＡ・Ａ′・Ａ″と同様、構造壁と同等の力学的構造を有するよう形成される。
【００１３】
前記構成より成る構造壁と同等の力学的構造を有する補強桟を備えた補強フレームＢは、図７に示すように窓枠２等を配設した開口部３の外側壁面３１に補強桟４６を備えた部分の外枠４２を取付ボルト等の固定金具３２によって一体に固定すると共に、該外枠４２の延長片４１ｅ・４１ｆの下方部を基礎部４７にホールインアンカー等の固定金具４８で固定することにより、総体的な壁量が増加され、前記補強フレームＢが、前記第１の実施の形態に示すものより更に強力に開口部３を補強する作用を有し、該開口部３の耐震性を、壁面部と同等、またはそれ以上に向上させて、家屋全体に強靭な耐震性を付与する。
【００１４】
なお、前記図７においては、前記補強フレームＢの延長片４１ｅ・４１ｆを基礎部４７に固定したが、図８に示すように、補強フレームＢの延長片４１ｅ・４１ｆを土台４９に取付ボルト等の固定金具３２で固定しても同一効果が得られる。
【００１５】
図９は、本発明の第３の実施の形態における窓枠等を配設した開口部の外側壁面に一体に固定すると共に、上方部を天井梁に固定するタイプの補強フレームＣの正面図である。そして、該補強フレームＣを構成する補強桟は、前記第１の実施の形態に示す補強フレームＡ・Ａ′・Ａ″のいずれのタイプのものも使用することができるが、図９においては説明の便宜上、補強フレームＡと同一タイプの補強桟を使用するものとして説明する。
【００１６】
図９における補強フレームＣは、角パイプ状、Ｌ型状等の鋼材５１ａ〜５１ｄを一般住宅の窓枠２等の開口部３よりやや大きく方形枠状に接合固定すると共に、両側に位置する鋼材５１ｂ・５１ｄを上方へ延長した延長片５１ｅ・５１ｆをそれぞれ連設して外枠５２が形成されている。更に、補強フレームＣは、前記外枠５２を構成する鋼材５１ａ〜５１ｄの内周面に、前記図１に示すものと同一タイプの補強杆５５ａ〜５５ｄ・５６ａ・５６ｂをそれぞれ一体に接合固定して形成された補強桟５３を備えており、且つ該補強フレームＣは、前記補強フレームＡ・Ａ′・Ａ″と同様、構造壁と同等の力学的構造を有するよう形成される。
【００１７】
前記構成より成る構造壁と同等の力学的構造を有する補強桟を備えた補強フレームＣは、図１０に示すように、窓枠２等を配設した開口部３の外側壁面３１に補強桟５３を備えた部分の外枠５２を取付ボルト等の固定金具３２によって一体に固定すると共に、該外枠５２の延長片５１ｅ・５１ｆの上方部を取付ボルト等の固定金具３２によって、外側壁面３１を貫通して天井梁５４に固定することにより、総体的な壁量が増加され、前記補強フレームＣが、前記第１の実施の形態に示すものより更に強力に開口部３を補強する作用を有し、該開口部３の耐震性を、壁面部と同等、またはそれ以上に向上させて、家屋全体に強靭な耐震性を付与する。
【００１８】
図１１は、本発明の第４の実施の形態における窓枠等を配設した開口部の外側壁面に一体に固定すると共に、上方部を天井梁に固定し、更に下方部を基礎部、または土台に固定する補強フレームＤの正面図である。そして、該補強フレームＤを構成する補強桟は、前記第１の実施の形態に示す補強フレームＡ・Ａ′・Ａ″のいずれのタイプのものも使用することができるが、図１１においては説明の便宜上補強フレームＡ′と同一タイプの補強桟を使用するものとして説明する。
【００１９】
図１１における補強フレームＤは、角パイプ状、Ｌ型状等の鋼材６１ａ〜６１ｄを一般住宅の窓枠２等の開口部３よりやや大きく方形枠状に接合固定すると共に、両側に位置する鋼材６１ｂ・６１ｄを上・下方へ延長した上部延長片６１ｅ・６１ｆおよび下部延長片６１ｇ・６１ｈをそれぞれ連設して外枠６２が形成されている。更に、補強フレームＤは、前記外枠６２を構成する鋼材６１ａ〜６１ｄの内周面に、前記図２に示すと同一タイプの補強杆６５ａ・６５ｂ・６６ａ・６６ｂ・６７をそれぞれ一体に接合固定して形成された補強桟６３を備えており、且つ該補強フレームＤは、前記補強フレームＡ・Ａ′・Ａ″と同様、構造壁と同等の力学的構造を有するよう形成される。
【００２０】
前記構成より成る構造壁と同等の力学的構造を有する補強桟を備えた補強フレームＤは、図１２に示すように窓枠２等を配設した開口部３の外側壁面３１に補強桟６３を備えた部分の外枠６２を取付ボルト等の固定金具３２によって一体に固定すると共に、該外枠６２の上部延長片６１ｅ・６１ｆの上方部を、取付ボルト等の固定金具３２によって、外側壁面３１を貫通して天井梁５４に固定し、更に前記外枠６２の下部延長片６１ｇ・６１ｈの下方部を、基礎部４７にホールインアンカー等の固定金具４８で固定することにより、総体的な壁量が増加され、前記補強フレームＤが、前記第１・第２の実施の形態に示すものより更に強力に開口部３を補強する作用を有し、該開口部３の耐震性を、壁面部と同等、またはそれ以上に向上させて、家屋全体に強靭な耐震性を付与する。
【００２１】
なお、前記図１２においては、前記補強フレームＤの下部延長片６１ｇ・６１ｈを基礎部４７に固定したが、図１３に示すように、補強フレームＤの下部延長片６１ｇ・６１ｈを土台４９に取付ボルト等の固定金具３２で固定しても同一効果が得られる。
【００２２】
【発明の効果】
本発明は上述のようであるから、次のような効果を奏する。請求項１記載の発明によれば、構造壁と同等の力学的構造を有する補強桟を備えた補強フレームを、一般住宅の窓枠等を配設した開口部の外側壁面に固定すると共に、延長片を基礎部、または土台に固定して、総体的な壁量を増加させることにより、前記補強フレームが開口部を補強する作用を有し、開口部の耐震性を、壁面部と同等、またはそれ以上に向上させて、家屋全体に強靭な耐震性を付与することができる。
また、請求項２記載の発明によれば、構造壁と同等の力学的構造を有する補強桟を備えた補強フレームを、一般住宅の窓枠等を配設した開口部の外側壁面に固定すると共に、延長片を天井梁に固定して、総体的な壁量を増加させることにより、前記補強フレームが開口部を補強する作用を有し、開口部の耐震性を、壁面部と同等、またはそれ以上に向上させて、家屋全体に強靭な耐震性を付与することができる。
また更に、請求項３記載の発明によれば、構造壁と同等の力学的構造を有する補強桟を備えた補強フレームを、一般住宅の窓枠等を配設した開口部の外側壁面に固定すると共に、上部延長片を天井梁に固定し、更に下部延長片を基礎部、または土台に固定して、総体的な壁量を増加させることにより、前記補強フレームが開口部を補強する作用を有し、開口部の耐震性を、壁面部と同等、またはそれ以上に向上させて、家屋全体に強靭な耐震性を付与することができる。
【図面の簡単な説明】
【図１】本発明一般住宅における開口部耐震補強フレームの第１の実施の形態における補強フレームの正面図である。
【図２】本発明一般住宅における開口部耐震補強フレームの第１の実施の形態における他のタイプの補強フレームの正面図である。
【図３】本発明一般住宅における開口部耐震補強フレームの第１の実施の形態における更に他のタイプの補強フレームの正面図である。
【図４】本発明一般住宅における開口部耐震補強フレームの第１の実施の形態における補強フレームを開口部の外側壁面に固定した状態を示す縦断面図である。
【図５】本発明一般住宅における開口部耐震補強フレームの第１の実施の形態における補強フレームを開口部の内周面に固定した状態を示す縦断面図である。
【図６】本発明一般住宅における開口部耐震補強フレームの第２の実施の形態における補強フレームの正面図である。
【図７】本発明一般住宅における開口部耐震補強フレームの第２の実施の形態における補強フレームを、開口部の外側壁面および基礎部に固定した状態を示す縦断面図である。
【図８】本発明一般住宅における開口部耐震補強フレームの第２の実施の形態における補強フレームを、開口部の外側壁面および土台に固定した状態を示す縦断面図である。
【図９】本発明一般住宅における開口部耐震補強フレームの第３の実施の形態における補強フレームの正面図である。
【図１０】本発明一般住宅における開口部耐震補強フレームの第３の実施の形態における補強フレームを、開口部の外側壁面および天井梁に固定した状態を示す縦断面図である。
【図１１】本発明一般住宅における開口部耐震補強フレームの第４の実施の形態における補強フレームの正面図である。
【図１２】本発明一般住宅における開口部耐震補強フレームの第４の実施の形態における補強フレームを、開口部の外側壁面および基礎部に固定した状態を示す縦断面図である。
【図１３】本発明一般住宅における開口部耐震補強フレームの第４の実施の形態における補強フレームを、開口部の外側壁面および土台に固定した状態を示す縦断面図である。
【符号の説明】
Ａ・Ａ′・Ａ″・Ｂ・Ｃ・Ｄ  補強フレーム、  １ａ〜１ｄ  鋼材、  ２  窓枠、  ３  開口部、  ４  外枠、  ５ａ〜５ｄ  補強杆、  ６ａ・６ｂ  補強杆、７  補強桟、  １５ａ・１５ｂ  補強杆、  １６ａ・１６ｂ  補強杆、  １７補強杆、  １８  補強桟、  ２５〜２７  補強杆、  ２８  補強桟、  ３１  外側壁面、  ３５  取付梁、  ４１ａ〜４１ｄ  鋼材、  ４１ｅ・４１ｆ  延長片、  ４２  外枠、  ４３〜４５  補強杆、  ４６  補強桟、  ４７  基礎部、４９  土台、  ５１ａ〜５１ｄ  鋼材、  ５１ｅ・５１ｆ  延長片、  ５２  外枠、  ５３  補強桟、  ５４  天井梁、    ５５ａ〜５５ｄ  補強杆、  ５６ａ・５６ｂ  補強杆、  ６１ａ〜６１ｄ    鋼材、  ６１ｅ・６１ｆ  上部延長片、  ６１ｇ・６１ｈ  下部延長片、  ６２  外枠、  ６３  補強桟、  ６５ａ・６５ｂ  補強杆、  ６６ａ・６６ｂ  補強杆、  ６７  補強杆。
【図１】
0004500370.tif 000002
【図２】
0004500370.tif 000003
【図３】
0004500370.tif 000004
【図４】
0004500370.tif 000005
【図５】
0004500370.tif 000006
【図６】
0004500370.tif 000007
【図７】
0004500370.tif 000008
【図８】
0004500370.tif 000009
【図９】
0004500370.tif 000010
【図１０】
0004500370.tif 000011
【図１１】
0004500370.tif 000012
【図１２】
0004500370.tif 000013
【図１３】
0004500370.tif 000014